(57)【特許請求の範囲】
【請求項１】
弾性を有する係止部が挿入部から突出する外部端子が接続される内部端子を内蔵する電子機器において、
上記内部端子を露出させると共に、上記外部端子の挿入部が挿入される端子用開口を有する筐体を備え、
上記端子用開口における上記係止部に対応する面の最も挿入方向手前側は、該係止部が接触しない程度に広く、挿入方向奥側には、上記挿入部の挿入方向に交差する方向に連続して延び、上記挿入方向から見たときに、上記内部端子の外面と上記端子用開口の内面と間の隙間を隠す目隠し用突条が設けられている
ことを特徴とする電子機器。
【請求項２】
請求項１に記載の電子機器において、
上記端子用開口は、上記筐体を覆うカバー部材に形成されている
ことを特徴とする電子機器。
【請求項３】
請求項１又は２に記載の電子機器において、
上記目隠し用突条における上記係止部に対向する部分は、上記挿入部を上記内部端子へ誘導する傾斜面が形成されている
ことを特徴とする電子機器。
【発明の詳細な説明】
【技術分野】
【０００１】
本発明は、弾性を有する係止部が挿入部から突出する外部端子が接続される内部端子を筐体の内部に内蔵する電子機器に関するものである。
【背景技術】
【０００２】
従来より、マイクロＵＳＢ端子などの外部端子を挿入するための内部端子を筐体の内部に内蔵する電子機器が知られている。この種の電子機器は、通常使用時には、外部端子が露出したままのものも多い（例えば、特許文献１参照）。そして、外部端子側には、接続後の意図しない脱落を防止するために、板状の挿入部の一面に弾性を有する一対の係止部が設けられ、この一対の係止部が内部端子側に設けた被係止部に係止されるようになっている。
【先行技術文献】
【特許文献】
【０００３】
【特許文献１】特開２０１３−１４０６８５号公報（特に図６、図１０、図１８）
【発明の概要】
【発明が解決しようとする課題】
【０００４】
外部端子は、比較的頻繁に着脱されるので、係止部が内部端子を露出させる端子用開口の内面に擦れないように、端子用開口を広く形成する必要があり、内部端子の外面と端子用開口の内面との間に隙間が生じやすく、この隙間のために見映えが悪化するという問題がある。特にスマートフォンなどの携帯機器では、このような外観の悪化は好まれない。
【０００５】
本発明は、かかる点に鑑みてなされたものであり、その目的とするところは、外部端子が端子用開口に擦れないようにしながら隙間を見えないようにして見映えをよくすることにある。
【課題を解決するための手段】
【０００６】
上記の目的を達成するために、この発明では、端子用開口の奥側に突条を設けた。
【０００７】
具体的には、本発明では、弾性を有する係止部が挿入部から突出する外部端子が接続される内部端子を内蔵する電子機器を前提とする。
【０００８】
そして、上記電子機器は、
上記内部端子を露出させると共に、上記外部端子の挿入部が挿入される端子用開口を有する筐体を備え、
上記端子用開口における上記係止部に対応する面の最も挿入方向手前側は、該係止部が接触しない程度に広く、挿入方向奥側には、上記挿入部の挿入方向に交差する方向に連続して延び、上記挿入方向から見たときに、上記内部端子の外面と上記端子用開口の内面との間の隙間を隠す目隠し用突条が設けられている。
【０００９】
上記の構成によると、目隠し用突条が、端子用開口の挿入方向奥側に設けられているので、内部端子の外面と上記端子用開口の内面との間の隙間が見えず、見映えがよい。この目隠し用突条は、挿入方向手前側ではなく、奥側に設けられているので、外部端子の挿入部を挿入するときに係止部が目隠し用突条に当たらず、擦れないようにすることができる。このため、繰り返し外部端子を抜き差ししても、端子用開口やその周辺が傷みにくい。
【発明の効果】
【００１０】
以上説明したように、本発明によれば、端子用開口における係止部に対応する面の最も挿入方向手前側は、係止部が接触しない程度に広く、挿入方向奥側には、挿入部の挿入方向に交差する方向に連続して延び、挿入方向から見たときに、内部端子の外面と端子用開口の内面との間の隙間を隠す目隠し用突条を設けたことにより、外部端子が擦れないようにしながら隙間を見えないようにして見映えをよくすることができる。
【図面の簡単な説明】
【００１１】
【図１】挿入部を差し込む途中を示す、図２のＩ−Ｉ線断面図及びその一部拡大断面図である。
【図２】本発明の実施形態１に係る、挿入部が差し込まれた状態のスマートフォンを示す正面図である。
【図３】スマートフォンを示す分解斜視図である。
【図４】挿入部をさらに奥側に挿入した様子を示す図１相当図である。
【図５】挿入部が内部端子に接続された状態を示す図１相当図である。
【図６】目隠し用突条が挿入部の先端を誘導する様子を示す図１相当図である。
【図７】本発明の実施形態１に係る端子用開口及びその周辺を示す拡大正面図である。
【図８】実施形態１の変形例に係る目隠し用突条及びその周辺を拡大して示す断面図である。
【図９】実施形態２に係る図１相当断面図である。
【図１０】実施形態３に係る図１相当断面図である。
【図１１】実施形態４に係る図１相当断面図である。
【図１２】目隠し用突条のない比較例に係る図１相当断面図である。
【図１３】目隠し用突条のない比較例に係る端子用開口及びその周辺を示す拡大正面図である。
【発明を実施するための形態】
【００１２】
以下、本発明の実施形態を図面に基づいて説明する。
【００１３】
（実施形態１）
図１〜図７は本発明の実施形態１に係る電子機器としてのスマートフォン１を示し、このスマートフォン１は、例えば、液晶表示ディスプレイを含む表示部２と、この表示部２が正面側に収容される筐体としてのキャビネット３と、キャビネット３を背面側から覆う背面カバー４とを備えている。キャビネット３の外周側面は、カバー部材５で覆われている。カバー部材５は、例えば樹脂成形品よりなる。キャビネット３の背面側には、メイン基板６、サブ基板７、充電池８、近距離無線通信装置９などが収容されている。
【００１４】
そして、例えば、スマートフォン１の左側面には、外部端子としてのマイクロＵＳＢ端子５０を接続可能な内部端子１０がサブ基板７に接続されている。この内部端子１０に合わせてキャビネット３には、キャビネット側端子用開口３ａが開口され、カバー部材５には、カバー側端子用開口５ａが開口されている。これらの開口３ａ，５ａの位置は、左側面に限定されず、他の側面や正面、背面に設けられていてもよい。
【００１５】
図１に拡大して示すように、例えば、マイクロＵＳＢ端子５０は、矩形板状の挿入部５１を有し、その一方の面には、弾性を有する一対の係止部５１ａが突設されている。この係止部５１ａは、鉤状に成形されており、押圧された場合に挿入部５１の内部に収容可能となっている。内部端子１０は、サブ基板７の端部に固定されており、その外側へ突出する接続部１０ａは、キャビネット側端子用開口３ａを超えてカバー側端子用開口５ａの中間まで延びている。図１は、係止部５１ａが接続部１０ａの先端に当たるまで挿入した状態を示す。
【００１６】
カバー側端子用開口５ａにおける係止部５１ａに対応する面の最も挿入方向手前側は、挿入部５１をまっすぐ挿入したときには、突出する係止部５１ａが接触しない程度に広くなっている。
【００１７】
そして、本発明の特徴として、この挿入方向奥側には、挿入部５１の挿入方向に交差する方向（本実施形態では垂直）に連続して延び、図７に示すように、挿入方向から見たときに、内部端子１０の接続部１０ａの外面とカバー側端子用開口５ａの内面との間の隙間Ｃを隠す目隠し用突条１１が設けられている。この目隠し用突条１１は、図１等では、見やすくするために異なるハッチングで描いているが、カバー部材５の成形時に一体に形成すればよい。目隠し用突条１１は、挿入方向に対して垂直に延びていなくてもよいが、垂直であれば、挿入方向に示すスペースが小さくてすむ。
【００１８】
そして、目隠し用突条１１における係止部５１ａに対向する部分は、挿入部５１を内部端子１０へ誘導する傾斜面１１ａが形成されている。
【００１９】
次いで、目隠し用突条１１の作用について説明する。
【００２０】
図１２及び図１３に比較例としてのスマートフォン４０１を示すように、このスマートフォン４０１では、目隠し用突条１１が設けられていない。このため、図１３に破線で領域Ａを囲って示すように、隙間Ｃから接続部１０ａとカバー側端子用開口４０５ａとの間の部品が見え、見映えが悪くなっている。場合によっては、この隙間Ｃにゴミが溜まる可能性もある。
【００２１】
一方、本実施形態では、図１及び図７に示すように、目隠し用突条１１が、カバー側端子用開口５ａの挿入方向奥側に設けられているので、内部端子１０の外面とカバー側端子用開口５ａの内面との間の隙間が見えにくくなって、見映えがよい。
【００２２】
本実施形態では、この目隠し用突条１１は、挿入方向手前側ではなく、奥側に設けられている。マイクロＵＳＢ端子５０の挿入部５１を挿入するときに係止部５１ａが当たらない領域Ｔを図１に破線ハッチングで示す。その後図４に示すように、挿入部５１をさらに差し込むと、係止部５１ａは、接続部１０ａの先端に当接した後、そのまま接続部１０ａの内部へ誘導される。目隠し用突条１１は、この破線ハッチング領域Ｔの内部にあるので、係止部５１ａは目隠し用突条１１に当たらず、擦れないようにすることができる。
【００２３】
さらに挿入部５１を差し込むと、図５に示すように、係止部５１ａが弾性により元の位置に戻って鉤状の部分が接続部１０ａの被係止部１０ｂに引っ掛かる。これにより、挿入部５１が意図せず抜け出さないようになっている。
【００２４】
このようにして挿入部５１が接続部１０ａに接続されるので、繰り返しマイクロＵＳＢ端子５０を抜き差ししても、カバー側端子用開口５ａやその周辺が傷みにくい。
【００２５】
さらに、図６に示すように、挿入部５１の先端をカバー側端子用開口５ａに挿入するときに、背面カバー４側にずれていても、挿入部５１の先端が目隠し用突条１１の傾斜面１１ａに当接して誘導されるので、マイクロＵＳＢ端子５０の挿入が滑らかになる。
【００２６】
したがって、本実施形態に係るスマートフォン１によると、マイクロＵＳＢ端子５０が擦れないようにしながら隙間を見えないようにして見映えをよくすることができる。
【００２７】
−変形例−
図８は本発明の実施形態１の変形例を示し、目隠し用突条１１’の形状が異なる点で上記実施形態と異なる。なお、本変形例及び以下の各実施形態では、図１から図７と同じ部分については同じ符号を付してその詳細な説明は省略する。
【００２８】
本変形例の目隠し用突条１１’は、挿入方向手前側の傾斜面１１ａ’が、係止部５１ａが当接しない領域Ｔ（破線ハッチングで示す）内で、係止部５１ａの鉤状部分の傾斜面５１ｂとほぼ平行となっている。
【００２９】
この場合、図６で示したような挿入部５１の先端の誘導効果がさらに発揮される。
【００３０】
（実施形態２）
図９は本発明の実施形態２に係るスマートフォン１０１を示し、目隠し用突条１１１の形状が異なる点で上記実施形態１と異なる。
【００３１】
すなわち、本実施形態の目隠し用突条１１１は、図９に示すように、スマートフォン１０１の正面から見て接続部１０ａと重なる奥側の位置まで延びている。
【００３２】
このように目隠し用突条１１１の幅を増やすことで、目隠し用突条１１１の強度が増す。
【００３３】
（実施形態３）
図１０は本発明の実施形態３に係るスマートフォン２０１を示し、カバー側端子用開口２０５ａの係止部５１ａと対向する面以外にも肉盛り２１１を設けた点で上記実施形態１と異なる。
【００３４】
例えば、肉盛り２１１は、０．１ｍｍの高さであり、この肉盛り２１１は、目隠し用突条１１が設けられていないカバー側端子用開口５ａの内面に設けられている。また、目隠し用突条１１の表面にも設けてもよい。
【００３５】
この肉盛り２１１は、接続部１０ａよりも挿入方向手前側にあるので、接続部１０ａに当接せず、接続部１０ａ自体の寸法公差を考慮する必要がないので、この肉盛りが可能である。
【００３６】
この肉盛り２１１により、上記各実施形態よりもカバー側端子用開口２０５ａの外観上の大きさを小さくすることができるので、見映えがさらによくなる。
【００３７】
（実施形態４）
図１１は本発明の実施形態４にかかるスマートフォン３０１を示し、カバー部材５がない点で上記各実施形態と異なる。
【００３８】
すなわち、上記各実施形態では、キャビネット３を覆うカバー部材５にカバー側端子用開口５ａを設け、そのカバー側端子用開口５ａに目隠し用突条１１を設けたが、カバー部材５を設けないような場合には、キャビネット３０３のキャビネット側端子用開口３０３ａに目隠し用突条３１１を設ければ、同様の作用効果が発揮される。
【００３９】
（その他の実施形態）
本発明は、上記各実施形態について、以下のような構成としてもよい。
【００４０】
すなわち、上記実施形態では、係止部５１ａは、挿入部５１の平坦な面に一対並んで設けられているが、挿入部５１の対向する側面にそれぞれ設けられていてもよい。その場合には、係止部５１ａが設けられる部分の隙間Ｃを隠すためにそれに対応するカバー側端子用開口５ａの内面に目隠し用突条１１を設けるとよい。さらに、係止部５１ａが、挿入部５１のいずれかの面の中間部に１つだけ設けられたり、中間と両サイドに合計３つ設けられたりしてもよい。
【００４１】
また上記実施形態では、電子機器は、スマートフォン１としたが、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００４２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４３】
１，１０１，２０１，３０１      スマートフォン（電子機器）
２      表示部
３，３０３      キャビネット（筐体）
３ａ，３０３ａ    キャビネット側端子用開口
４      背面カバー
５      カバー部材
５ａ，２０５ａ    カバー側端子用開口
６      メイン基板
７      サブ基板
８      充電池
９      近距離無線通信装置
１０      内部端子
１０ａ    接続部
１０ｂ    被係止部
１１，１１’，１１１，３１１      目隠し用突条
１１ａ，１１ａ’    傾斜面
５０      マイクロＵＳＢ端子（外部端子）
５１      挿入部
５１ａ    係止部
５１ｂ    傾斜面
２１１      肉盛り
【図１】
0006507034.tif 000002
【図２】
0006507034.tif 000003
【図３】
0006507034.tif 000004
【図４】
0006507034.tif 000005
【図５】
0006507034.tif 000006
【図６】
0006507034.tif 000007
【図７】
0006507034.tif 000008
【図８】
0006507034.tif 000009
【図９】
0006507034.tif 000010
【図１０】
0006507034.tif 000011
【図１１】
0006507034.tif 000012
【図１２】
0006507034.tif 000013
【図１３】
0006507034.tif 000014